(57)【要約】【課題】多様化するネイルアートの需要に応える。【解決手段】人爪に沿った形状と大きさとを有して画像を表示する薄板状の表示層２３と、表示層２３に積層一体に設けられて表示層２３に駆動電力を供給する薄板状の太陽電池層２２と、表示層２３に積層一体に設けられて人爪に着脱自在に設けられる薄板状のベース基板２１とを備える。ベース基板３１は、表示層２３に表示する表示データが格納されるデータ格納部２８と、データ格納部２８から表示データを読み出して表示層２３に表示させる表示制御回路２９と、太陽電池層２２の蓄電制御を行う太陽電池制御回路２７と、太陽電池層２２の発電電力を蓄電して表示部２３とベース基板２１とに電力を供給する蓄電池２４とを備える。【選択図】図５
2006262982.tif 000002
【特許請求の範囲】
【請求項１】
人爪に沿った形状と大きさとを有して画像を表示する薄板状の表示層と、
前記表示層に積層一体に設けられて前記表示層に駆動電力を供給する薄板状の太陽電池層と、
前記表示層に積層一体に設けられて人爪に着脱自在に設けられる薄板状のベース基板と、
を備え、
前記ベース基板は、
前記表示層に表示する表示データが格納されるデータ格納部と、
前記データ格納部から前記表示データを読み出して前記表示層に表示させる表示制御回路と、
前記太陽電池層の蓄電制御を行う太陽電池制御回路と、
前記太陽電池層の発電電力を蓄電して前記表示部と前記ベース基板とに電力を供給する蓄電池とを、
有することを特徴とするつけ爪装置。
【請求項２】
請求項１に記載のつけ爪装置において、
前記表示層は、非通電時に透明となる表示用液晶を備えており、
前記太陽電池層は、前記表示層の爪装着面側に積層一体に設けられており、
前記ベース基板は、前記太陽電池層の爪装着面側に積層一体に設けられている、
ことを特徴とするつけ爪装置。
【請求項３】
請求項１または２に記載のつけ爪装置において、
前記データ格納部は、動画データを格納しており、
前記表示制御回路は、前記データ格納部から読み出した動画データを前記表示層に表示させる、
ことを特徴とするつけ爪装置。
【請求項４】
請求項１ないし３のいずれか１項に記載のつけ爪装置において、
前記ベース基板は、当該つけ爪装置に外部から加えられる物理的変動を検知するセンサを備え、
前記データ格納部は、複数の表示データを格納しており、
前記表示制御回路は、前記センサが検知する前記物理的変動に応じて前記データ格納部から読み出して前記表示層に表示させる表示データを変更する、
ことを特徴とするつけ爪装置。
【請求項５】
請求項１ないし３のいずれか１項に記載のつけ爪装置を複数設け、
前記つけ爪装置それぞれの前記データ格納部は、複数の表示データを格納しており、
前記つけ爪装置それぞれの前記表示制御回路は、前記データ格納部から読み出して前記表示層で表示させる表示データを、他のつけ爪装置との間で互いに関連付ける、
ことを特徴とするつけ爪装置システム。
【請求項６】
請求項５に記載のつけ爪装置システムにおいて、
前記つけ爪装置それぞれの前記ベース基板は、表示時間の制御に用いるタイマ回路を備えており、
前記前記つけ爪装置それぞれの前記表示制御回路は、当該つけ爪装置の前記タイマ回路が計測する計時結果に基づいて、当該つけ爪装置の前記データ格納部から読み出して当該つけ爪装置の前記表示層で表示させる表示データの表示時間を他のつけ爪装置との間で互いに関連付ける、
ことを特徴とするつけ爪装置システム。
【請求項７】
請求項５に記載のつけ爪装置システムにおいて、
前記つけ爪装置それぞれの前記ベース基板は、当該つけ爪装置に外部から加えられる物理的変動を検知するセンサを備えており、
前記つけ爪装置それぞれの前記表示制御回路は、当該つけ爪装置の前記センサが検知する前記物理的変動に応じて、当該つけ爪装置の前記データ格納部から読み出して当該つけ爪装置の前記表示層で表示させる表示データを他のつけ爪装置との間で互いに関連付けた状態で変更する、
ことを特徴とするつけ爪装置。
【請求項８】
請求項５に記載のつけ爪装置システムにおいて、
前記つけ爪装置それぞれが有する前記ベース基板は、他のつけ爪装置との間で相互通信を行う通信部を備えており、
前記つけ爪装置それぞれが有する前記表示制御回路は、当該つけ爪装置の前記通信部が他のつけ爪装置との間で実施する相互通信結果に応じて、当該つけ爪装置の前記データ格納部から読み出して当該つけ爪装置の前記表示層に表示させる表示データを他のつけ爪装置との間で互いに関連付けて変更する、
ことを特徴とするつけ爪装置システム。
【請求項９】
請求項５ないし８のいずれかに１項に記載のつけ爪装置システムにおいて、
前記複数のつけ爪装置は、単一のつけ爪装着者の指に装着されるものである、
ことを特徴とするつけ爪装置システム。
【請求項１０】
請求項５ないし８のいずれかに１項に記載のつけ爪装置システムにおいて、
前記複数のつけ爪装置は、異なるつけ爪装着者の指に装着されるものである、
ことを特徴とするつけ爪装置システム。
【発明の詳細な説明】
【技術分野】
【０００１】
本発明は、人の爪に絵柄を描写したうえで、その描写内容を管理するつけ爪装置やつけ爪装置システムに関する。
【背景技術】
【０００２】
従来から、人爪に絵柄描写（以下、ネイルアートという）を施してもらう場合、ネイルアートを所望する当人がネイルサロン等のネイルアート専門店を訪問したうえで、その店においてネイリストと呼ばれる専門家によってネイルアートを行ってもらう、あるいは、ネイルアートを所望する当人が上記ネイルアート専門店等を訪れて色・図柄が予め装飾されたつけ爪を購入したうえで、当人もしくは専門家がそのつけ爪を当人の爪に装着する、などといった方法が採られている。
【０００３】
また、近年、「自動ネイルアートマシン」と呼ばれる装置が開発されている。その装置では、前面パネル等に爪の挿入孔が設けられており、挿入孔に挿入された爪に自動的に絵柄を描写するように構成されている。絵柄は複数設定されており、前面パネル等に絵柄の選択ボタンが設けられている。この装置の使用に際しては、ネイルアートを所望する当人が前記装置が設置されたネイルアート専門店を訪問して、当人の指を装置の爪挿入孔に差し込んだ状態で選択ボタンを操作することで、自動的に当人の爪にネイルアートが施されるようになっている。
【０００４】
また、上記装置を改良したものとして、ネイルアートを所望する当人自身によって絵柄を作成したうえでその絵柄を三次元データ化して当人の爪に書き込める装置が考案されている（特許文献１参照）。
【０００５】
更に、ＩＣチップを搭載したつけ爪を用いたシステムが考案されている。このシステムでは、ネイルアートを所望する当人が所有する端末装置と、ネイルアート専門店の顧客管理用端末装置と、ネイルアート情報管理サーバとがインターネット等の電気通信回線を介して双方向通信可能に接続されている。ネイルアートを所望する当人が所有する端末装置やネイルアート専門店の顧客管理用端末装置は、つけ爪のＩＣチップとの間でデータの送受信が可能な通信装置（有線／無線通信）を備えている。また、ネイルアート情報管理サーバには、各ネイルアート専門店の描写可能絵柄や予約情報が格納されている。ネイルアートを所望する当人がその端末装置を介して、ネイルアート情報管理サーバにアクセスして、ネイルケア情報（ネイルアート専門店の予約、希望絵柄等）を登録することで、自動的に所望するネイルアート専門店に予約（時間と所望絵柄）が行えるようになっている。
【０００６】
予約情報は、ネイルアートを所望する当人が所有する端末装置から通信装置を介してつけ爪のＩＣチップに格納される。この状態で上記予約を行った当人が上記つけ爪を持参してネイルアート専門店に出向き、つけ爪のＩＣチップとネイルアート専門店の顧客管理用端末装置とを通信可能に接続することで予約の確認を行ったうえ持参したつけ爪にネイルアートを施してもらう。
【特許文献１】特許３０１６１４７号公報
【特許文献２】特開２００３−００６３０９号公報
【発明の開示】
【発明が解決しようとする課題】
【０００７】
しかしながら、上述したいずれの従来例においても、絵柄を、爪やつけ爪に直接顔料・染料等を用いて描写することしか出来ない。そのため、いったん爪やつけ爪に絵柄を描写したうえで絵柄を変更する場合は、先に描かれた絵柄を除去したうえで別の絵柄を描写するしかなく、多様化するネイルアートの需要に十分に応えることができない。
【課題を解決するための手段】
【０００８】
本発明のつけ爪装置は、人爪に沿った形状と大きさとを有して画像を表示する薄板状の表示層と、前記表示層に積層一体に設けられて前記表示層に駆動電力を供給する薄板状の太陽電池層と、前記表示層に積層一体に設けられて人爪に着脱自在に設けられる薄板状のベース基板とを備える。前記ベース基板は、前記表示層に表示する表示データが格納されるデータ格納部と、前記データ格納部から前記表示データを読み出して前記表示層に表示させる表示制御回路と、前記太陽電池層の蓄電制御を行う太陽電池制御回路と、前記太陽電池層の発電電力を蓄電して前記表示部と前記ベース基板とに電力を供給する蓄電池とを備える。このような構成を備えることで、本願発明のつけ爪装置は上述した課題を解決する。
【発明の効果】
【０００９】
本発明によれば、つけ爪の表示部に自由に絵柄を描写することができるうえに、描写した絵柄を自由に変更することができ、多様化するネイルアートの需要に十分に応えることができる。また、動画描写を行うことができ、その描写の表現幅を格段に広げることができる。しかも、動画描写を、各爪の間で互いに関連させた状態で表示することができ、その分、さらに描写の表現幅を広げることができる。
【発明を実施するための最良の形態】
【００１０】
図１は、本発明の最良の実施形態に係るつけ爪装置システムを含む全体システムの構成図であり、図２は、つけ爪装置システムにネイルアートを供給するネイルアート作成装置の構成図であり、図３はネイルアート作成装置の機能ブロック図であり、図４（ａ）はつけ爪装置の一部切欠平面図であり、図４（ｂ）は、つけ爪装置の断面図であり、図５はつけ爪装置の機能ブロック図である。
【００１１】
これらの図において、１はネイルアート作成装置であり、２はネイルアートデータ管理サーバであり、３は、電気通信回線の一例であるインターネット回線である。ネイルアートデータ管理サーバ２は、予めネイルアートデザインが格納されたデータベース４と、インターネット回線３を介して双方向通信する通信装置５とを備える。ネイルアートデータ管理サーバ２に格納されているネイルアートデザインは、予めネイルアートデータ管理サーバ２の管理者によってデータベース４に記憶される。
【００１２】
ネイルアート作成装置１は、パーソナルコンピュータ等からなるネイルアート作成装置本体６と、つけ爪通信装置７とを備える。ネイルアート作成装置本体６は、ネイルアート画像の作成を制御する画像作成器１０と、ネイルアートの作成に必要となる各種画像／映像を表示する画像表示器１１と、ネイルアート作成者によるネイルアート作成入力を受け付ける入力器１２と、作成されたネイルアートのデータを記憶する記憶器１３と、インターネット回線３との間で双方向通信する送受信器１４と、ネイルアート作成装置本体６全体の動作制御を行う制御器１５とを備える。
【００１３】
つけ爪通信装置７は、つけ爪装着孔１６を有する。つけ爪装着孔１６は人の指の数（図では片手の指の数（５）であるが、両手の指の数（１０）であってもよい）に合致する数だけ設けられる。各つけ爪装着孔１６にはつけ爪通信素子１７が設けられる。つけ爪通信素子１７は、次に説明するつけ爪の通信素子との間で、Bluetoothや赤外線通信等の近距離無線通信により接続されてデータ通信する素子である。
【００１４】
次に、ネイルアート作成装置１によりネイルアートが供給されるつけ爪装置２０の構成を説明する。本発明は、つけ爪装置２０や複数のつけ爪装置２０から構成されるつけ爪装置システムに特徴がある。
【００１５】
つけ爪装置２０は、ベース基板２１と、太陽電池層２２と、表示層２３と、小型の蓄電池２４とを備える。ベース基板２１は、０．１〜０．５ｍｍ程度の薄い平板の多層回路基板から構成されており、人爪の形状に沿った湾曲形状を有する。ベース基板２１には、各種回路部品および各種センサが実装されている。さらにベース基板２１には蓄電池２４が実装されている。ベース基板２１の下面（爪やつけ爪通信装置７への装着面）には通信素子２５が実装されている。通信素子２５は、つけ爪通信装置７側のつけ爪通信素子１７との間で赤外線通信やBluetooth等の近距離無線通信により接続されてデータ通信する素子である。ベース基板２１に実装された各種回路部品は、表示層２３のドライバ回路２６（以下、液晶ドライバ回路２６という）、太陽電池層２２の制御回路２７（以下、太陽電池制御回路２７という）、ネイルアートデータを格納するデータ格納部２８、データ格納部２８に格納されているネイルアートデータの表示制御を行う表示制御回路２９、タイマ回路３０、および通信端子２５を介した通信を制御するデータ送受信回路３１を含む。ベース基板２１に実装された各種センサは、音センサ４０、接触センサ４１、ジャイロセンサ４２、および加速度センサ４３を含む。
【００１６】
ベース基板２１の上面には太陽電池層２２が積層配置されている。太陽電池層２２は０．１〜０．５ｍｍ程度の薄い平板からなり、ベース基板２１と同等の形状を有する。ベース基板２１の太陽電池層制御回路２７と太陽電池層２２とは接続されている。太陽電池層２２の上面には表示層２３が積層配置されている。表示層２３は、０．１〜０．５ｍｍ程度の薄い平板からなり、ベース基板２１と同等の形状を有する。ベース基板２１の液晶ドライバ回路２６と表示層２３とは接続されている。表示層２３は、電圧が付与されない状態では透明となる液晶構造と透明表示電極（図示省略）とを有する。また、表示層２３は反射型の液晶表示構造を備えており、その上面から入射する光を太陽電池層２２で反射させて表示する構成となっている。蓄電池２４は、太陽電池層２２で発電される電力を蓄電する。ベース基板２１と液晶層２３とは、蓄電池２４から供給される電力により稼動する。本実施形態では、通信素子２５とデータ送受信回路３１とから通信部が構成されている。
【００１７】
表示層２３は、人爪に沿った形状と大きさとを有している。太陽電池層２２は、表示層２３の爪装着面側に積層一体に設けられている。ベース基板２１は、太陽電池層２２の爪装着面側に積層一体に設けられている。このように構成されたつけ爪装置２０が、つけ爪装着者の各爪に着脱自在に設けられている。装着は、例えば、両面テープ等による接着によって実施される。
【００１８】
つけ爪装置２０は人の爪の数だけ（片手の場合には５個、両手の場合には１０個）設けられて、つけ爪装置システムが構成されている。さらには、一人のつけ指装着者に装着される各つけ爪装置２０どうしや、複数のつけ指装着者のつけ爪装置システムどうしが通信素子２５およびデータ送受信回路３１を介して互いに通信可能に連携されている。
【００１９】
次に、このつけ爪装置システムによるネイルアートの作成を説明する。まず、ネイルアートデータ管理サーバ２に格納されているネイルアートデータをネイルアート作成装置１にダウンロードする作成状態を説明する。この場合、ネイルアート作成装置１を操作するネイルアート希望者は、つけ爪装置２０をつけ爪通信装置７のつけ爪装着孔１６に装着させることで、つけ爪通信素子１７と通信素子２５とを通信可能とする。なお、各つけ爪装置２０がつけ爪装着孔１６に装着された状態において、つけ爪通信素子１７と通信素子２５とは互いに対向するように、つけ爪通信素子１７は配置されており、これにより、つけ爪通信素子１７と通信素子２５とは近距離無線通信によって通信可能となる。
【００２０】
以上の準備をしたうえで、ネイルアート希望者はネイルアート作成装置１（送受信器１４）を操作して、インターネット回線３を介してネイルアートデータ管理サーバ２にアクセスする。すると、ネイルアートデータ管理サーバ２は、データベース４から購入可能なネイルアートリスト４４を読み出して、そのデータをネイルアート作成装置１に送信する。ネイルアートリスト４４データを受信したネイルアート作成装置１（具体的には制御器１５）は、その画像（ネイルアートの画像サンプル４５を含む）を画像表示器１１に表示させる。図６（ａ）は、ダウンロードしたネイルアートリスト４４が表示された画像表示器１１の表示画面を示す。ネイルアート希望者は、画像表示器１１に表示されているネイルアートリスト４４を画面上でスクロールしながら所望するネイルアートを選択する。所望するネイルアートが決まると、ネイルアート希望者は、画像表示器１１の画面上に表示される購入ボタン５０、５１を図示しないマウス等の入力器１２を用いて操作（クリック）する。なお、購入形態には、購入時と同時に表示層２３で表示させる購入形態と、購入時には表示層２３で表示させることなくネイルアートデータを一旦記憶器１３に格納したうえで、後日、つけ爪装置２０に送信して表示層２３に表示させる購入形態とがある。画像表示器１１には、両購入形態に対応した購入ボタン５０，５１が表示される。ネイルアート希望者は、希望する購入形態を選択してその購入形態に対応する購入ボタン５０，５１を操作する。
【００２１】
購入ボタン５０，５１が操作されたことを検知したネイルアート作成装置１の制御器１５は、送受信器１４を介してネイルアートデータ管理サーバ２に再アクセスして、購入希望のネイルアートデータを指定する。ネイルアートデータの指定を受けたネイルアートデータ管理サーバ２は、データベース４から指定されたネイルアートデータを読み出してネイルアート作成装置１に送信する。
【００２２】
ネイルアートデータを受信したネイルアート作成装置１（具体的には制御器１５）は、受信したネイルアートデータを記憶器１３に格納する。その際、例えば、画像表示器１１には、図６（ｂ）に示すように、購入したネイルアートの画像サンプル４６が表示される。
【００２３】
購入時に直ちに表示する購入形態を選択した場合、ネイルアート作成装置１は、記憶器１３に格納したネイルアートデータを、つけ爪通信装置７のつけ爪通信素子１７を介してつけ爪装置２０（通信素子２５）に送信する。通信素子２５を介してネイルアートデータを受信したつけ爪装置２０のデータ送受信回路３１は、そのデータをデータ格納部２８に格納する。データ格納部２８にネイルアートデータが格納されたことを検知した表示制御回路２９は、データ格納部２８からネイルアートデータを読み出して表示可能に信号処理したうえで、そのデータを液晶ドライバ回路２６を介して表示層２３に送ってネイルアートとして表示させる。
【００２４】
なお、上記したつけ爪装置２０の表示動作における駆動電力は、蓄電池２４から供給される。蓄電池２４は、太陽電池層２２により発電された電力を蓄えることでつけ爪装置２０に電力を供給する。ここで、表示層２３は、表示用の電圧が印加されない状態では、透明となる性質を有している。そのため、表示動作を実施しない状態では、透明となった表示層２３を介して外部から太陽電池層２２に光が入射することになる。太陽電池層２２は、この入射光を用いて非表示動作時に発電してその発電電力を蓄電池２４に蓄える。
【００２５】
なお、後日表示させる購入形態を選択した場合には表示層２３での表示動作は行われない。また、ネイルアートデータの購入に際する支払いは、例えば、銀行口座の引き落とし処理により実施される。
【００２６】
以上説明したネイルアートデータのダウンロード処理および表示層２３でのネイルアートデータの表示処理により、ネイルアート希望者が所望したネイルアートは、つけ爪装置２０の表示層２３に表示される。
【００２７】
次に、ネイルアートデータ管理サーバ２からネイルアートデータをダウンロードすることなく、ネイルアート作成装置１において、ネイルアートデータを作成する場合を説明する。この場合、ネイルアート作成装置１でのネイルアートデータの作成とは、ネイルアートデータ管理サーバ２からダウンロードしたネイルアートをネイルアート作成装置１において加工修／正する処理も含む。
【００２８】
ここでは、背景となる背景画像上をキャラクタが動き回るアニメーション画像を作成する場合を説明する。この場合、ネイルアート作成装置１は、図７（ａ）に示すように、背景画像レイヤ６０と、キャラクタの第１の動作状態を示す第１のキャラクタ画像レイヤ６１と、キャラクタの第２の動作状態を示す第２のキャラクタ画像レイヤ６２とを作成したうえで、これらのレイヤ６０，６１，６２を図７（ｂ）に示すように合成（画面上で積層配置）したうえで、その合成具合を時間軸上で変動させることで、アニメーション画像として表示する。図７（ａ）〜（ｅ）では、柵の前に小屋が配置された背景からなる背景画像レイヤ６０において、ひよこのキャラクタが飛び跳ねながら右から左に移動する様子が、キャラクタの姿勢が互いに異なる第１のキャラクタ画像レイヤ６１と第２のキャラクタ画像レイヤ６２とを、背景画像レイヤ６０に対して異なる相対位置で合成することで、アニメーション描画する。なお、図７（ｃ）〜（ｅ）は、時間軸上で連続する表示形態それぞれを示している。さらには、横長となった背景画像レイヤ６０をその長手方向に沿って５つに分割して、分割した各画像をつけ爪装置２０それぞれで表示することで、キャラクタが各つけ爪装置２０を移動するかのごとくアニメーション描画する。
【００２９】
まず、背景画像レイヤ６０，第１,第２のキャラクタ画像レイヤ６１,６２の作成動作を説明する。ネイルアート作成装置１には、予め画像作成器１０のソフトウェアがインストールされている。ネイルアート希望者は、ネイルアート作成装置１において画像作成器１０を駆動させる。そうすると、画像表示器１１には、図８（ａ）に示す画像レイヤの作成画面７０が表示される。この作成画面７０において、ネイルアート希望者は、背景画像レイヤ６０および第１,第２のキャラクタ画像レイヤ６１,６２を作成する。図８（ａ）では、背景画像レイヤ６０の作成画面７０が表示されているが、図８（ｂ）に示すように、第１のキャラクタ画像レイヤ６１や第２のキャラクタ画像レイヤ６２も、同様の作成画面７０において作成される。図８（ｂ）においては、第１のキャラクタ画像レイヤ６１は、歩いている状態のキャラクタ（ひよこ）を描画している。第２のキャラクタ画像レイヤ６２は、飛び跳ねている状態のキャラクタ（ひよこ）を描画している。
【００３０】
画像レイヤ６０,６１,６２の作成は、通常の画像作成用のソフトウェアと変わらないため、ここではその詳細な説明を省略するが、例えば、次のようにして作成される。すなわち、画像レイヤ６０,６１,６２のテンプレートデータをネイルアート作成装置１（記憶器１３等）に記録しておく。画像作成器１０の駆動時において、上記テンプレートのリストを画像表示器１１に表示して、ネイルアート希望者によって一つないし複数のテンプレートを選択させてその画像を画像表示器１１を表示させる。そのうえで、ネイルアート希望者が、表示しているテンプレートを画像作成器１０を用いて画像修正することで所望する画像レイヤ６０,６１,６２に加工する。
【００３１】
第１,第２のキャラクタ画像レイヤ６１,６２とは異なり背景画像レイヤ６０においては、次に、作成した背景画像レイヤ６０をつけ爪装置２０の数（通常は５）に応じて分割する処理を行う。分割は、画像表示器１１の画面上に表示された分割ボタン６３をネイルアート希望者がマウス等の入力器１２を用いて操作（クリック）することで実施される。分割ボタン６３の操作を検知した画像表示器１１は、背景画像レイヤ６０の分割処理を実施する。分割処理は、具体的には、図９（ａ）に示す背景画像レイヤ６０を複数の分割背景画像レイヤ６０1〜5に分割する処理と、図９（ｂ）に示す分割した各分割背景画像レイヤ６０1〜5の座標を再計算する処理とからなる。
【００３２】
引き続いて、各つけ爪装置２０におけるアニメーション画像の動画状態生成方法やつけ爪装置システム全体としてのの表示形態を説明する。ネイルアート希望者は、各画像レイヤ６０，６１，６２を作成したのち、画像表示器１１の作成画面７０上において、動画パターンと動画速度とを設定する。動画パターンとは、図８（ｃ）に示すように、第１，第２のキャラクタ画像レイヤ６１,６２に描写されているキャラクタの移動軌跡を示すものであり、例えば、移動軌跡６４ａは、直線状水平移動軌跡を示し、移動軌跡６４ｂは曲線状波線移動軌跡を示し、６４ｃは直線状波線移動軌跡を示し、６４ｄは矩形波状移動軌跡を示し、移動軌跡６４ｅは楕円状Ｕターン移動軌跡を示す。これらの移動軌跡６４ａ〜６４ｅは、予め、画像作成器１０において設定されて記憶されており、動画パターン設定枠７１において、入力器１２により選択可能な状態で表示されている。動画速度は、第１，第２のキャラクタ画像レイヤ６１,６２に描写されているキャラクタの移動速度を示し、例えば移動単位数／秒として設定される。動画速度は動画速度設定枠７２において、入力器１２を用いて入力可能となっている。なお、ここでいう移動単位とは、上記キャラクタの最小移動単位のことである。
【００３３】
ネイルアート希望者は、作成画面７０上の動画パターン設定枠７１と動画速度設定枠７２とにおいて、所望する移動軌跡６４ａ〜６４ｅの選択操作と動画速度の入力とを行う。選択／入力操作は入力器１２を用いて行う。画像作成器１０は各移動軌跡６４ａ〜６４ｅと動画速度とに基づいて移動関数を算定する算定式を記憶しており、選択された移動軌跡６４ａ〜６４ｅと入力された動画速度とから移動関数を算定する。
【００３４】
次に、各画像レイヤ６０〜６２の表示形態の具体例を説明する。
【００３５】
まず、各画像レイヤの表示データの概略を説明する。各画像レイヤの表示データは、
・座標領域
：画像が移動可能な最大領域を示し、本実施形態では、通常、−１００≦ｘ≦１００,−１００≦ｙ≦１００が設定される。
・画像データ
・表示領域
：画像の大きさを示し、本実施形態では、０≦ｘ≦１００,０≦ｙ≦１００が設定される。
・表示角度使用フラグ：画像の回転処理の有無を示し、０は無回転、１は回転を示す。
・表示基準位置（ｘ，ｙ）
：表示の基準となる位置を示す。
・表示角度
：回転処理を行う場合の回転角度を示す。
・表示フラグ
：画像表示の有無を示すフラグであって、１は表示、−１は非表示を示す。後述する表示関数により求められる。
・開始からの時間
：表示開始からの時間を示し、後述する移動関数や表示関数のパラメータとして用いられる。
・移動関数
：画像の移動量を示す関数であって、開始からの時間をパラメータにして計算される。
・表示関数
：表示フラグを算定する関数であって、開始からの時間をパラメータにして計算される。
【００３６】
まず、分割背景画像レイヤ６０の表示形態例を図１０を参照して説明する。ここでは、親指のつけ爪装置２０に表示される分割背景画像レイヤ６０5を例して説明するが、他の分割背景画像レイヤ６０1〜4においても同様の表示形態である。
【００３７】
分割背景画像レイヤ６０5の表示データは次のようになる。
・座標領域（−１００≦ｘ≦１００,−１００≦ｙ≦１００）
・画像データ（６０ａ）
：図１０参照
・表示領域（０≦ｘ≦１００,０≦ｙ≦１００）
・表示角度使用フラグ（０）
・表示基準位置（０，０）
・表示角度（０°）
：背景画像レイヤ６０5では無回転処理であるため、０°となる。
・表示フラグ（１）
：背景画像レイヤ６０5では常時表示となる。
・開始からの時間
・移動関数ｙ＝０×ｔ
ｘ＝０×ｔ
：背景画像レイヤ６０5では無移動を示す。
・表示関数Ｐ＝１＋ｔ×０
以上説明した表示データにより、背景画像レイヤ６０5は、表示期間中、常時表示６０ｂ（図１０参照）となる。他の背景画像レイヤ６０1〜4においても、表示する背景画像の領域が異なるものの、常時表示となる。
【００３８】
次に、第１のキャラクタ画像レイヤ６１の表示形態例を図１１を参照して説明する。第１のキャラクタ画像レイヤ６１の表示データは、次のようになる。
・座標領域（−１００≦ｘ≦１００,−１００≦ｙ≦１００）
・画像データ６１ａ
：図１１参照
・表示領域（０≦ｘ≦１００,０≦ｙ≦１００）
・表示基準位置（ｘ，ｙ）
・表示フラグ
・移動関数ｙ＝０×ｔ
ｘ＝−１×ｔ
・開始からの時間（ｔ＝０）
・表示関数Ｐ＝（−１)t
このような表示データを有する第１のキャラクタレイヤ６１の各時刻の表示形態は次のようになる。
【００３９】
時刻ｔ＝０における第１のキャラクタ画像レイヤ６１は、
・表示領域（０≦ｘ≦１００,０≦ｙ≦１００）
・表示基準位置（０、０）
・表示角度  ０°
・表示フラグ（１）
・移動関数ｙ＝０
ｘ＝０
・開始からの時間（ｔ＝０）
・表示関数Ｐ＝１
となる。
【００４０】
以上説明した表示データにより、第１のキャラクタ画像レイヤ６１は、時刻ｔ＝０において、６１ｂ（図１１参照）となる。
【００４１】
時刻ｔ＝１における第１のキャラクタ画像レイヤ６１は、
・表示領域（０≦ｘ≦１００,０≦ｙ≦１００）
・表示基準位置（−１、０）
・表示角度  ０°
・表示フラグ（−１）
・移動関数ｙ＝−１
ｘ＝０
・開始からの時間（ｔ＝１）
・表示関数Ｐ＝−１
となる。
【００４２】
以上説明した表示データにより、第１のキャラクタ画像レイヤ６１は、時刻ｔ＝１において、６１ｃ（図１１参照：非表示）となる。
【００４３】
時刻ｔ＝１０における第１のキャラクタ画像レイヤ６１は、
・表示領域（０≦ｘ≦１００,０≦ｙ≦１００）
・表示基準位置（−１０、０）
・表示角度  ０°
・表示フラグ（１）
・移動関数ｙ＝−１０
ｘ＝０
・開始からの時間（ｔ＝１０）
・表示関数Ｐ＝１
となる。
【００４４】
以上説明した表示データにより、第１のキャラクタ画像レイヤ６１は、時刻ｔ＝１０において、６１ｄ（図１１参照）となる。
【００４５】
次に、第２のキャラクタ画像レイヤ６２の表示形態例を図１２を参照して説明する。第２のキャラクタ画像レイヤ６２の表示データは、次のようになる。
・座標領域（−１００≦ｘ≦１００,−１００≦ｙ≦１００）
・画像データ６２ａ
：図１２参照
・表示領域（０≦ｘ≦１００,０≦ｙ≦１００）
・表示基準位置（ｘ，ｙ）
・表示フラグ
・移動関数ｙ＝０×ｔ
ｘ＝−１×ｔ
・開始からの時間（ｔ＝０）
・表示関数Ｐ＝（−１)t+1
このような表示データを有する第２のキャラクタレイヤ６２の各時刻の表示形態は次のようになる。
【００４６】
時刻ｔ＝０における第２のキャラクタ画像レイヤ６２は、
・表示領域（０≦ｘ≦１００,０≦ｙ≦１００）
・表示基準位置（０、０）
・表示角度  ０°
・表示フラグ（０）
・移動関数ｙ＝０
ｘ＝０
・開始からの時間（ｔ＝０）
・表示関数Ｐ＝−１
となる。
【００４７】
以上説明した表示データにより、第２のキャラクタ画像レイヤ６２は、時刻ｔ＝０において、６２ｂ（図１２参照：非表示）となる。
【００４８】
時刻ｔ＝１における第２のキャラクタ画像レイヤ６２は、
・表示領域（０≦ｘ≦１００,０≦ｙ≦１００）
・表示基準位置（−１、０）
・表示角度  ０°
・表示フラグ（１）
・移動関数ｙ＝−１
ｘ＝０
・開始からの時間（ｔ＝１）
・表示関数Ｐ＝１
となる。
【００４９】
以上説明した表示データにより、第２のキャラクタ画像レイヤ６２は、時刻ｔ＝１において、６２ｃ（図１２参照）となる。
【００５０】
時刻ｔ＝１０における第１のキャラクタ画像レイヤ６１は、
・表示領域（０≦ｘ≦１００,０≦ｙ≦１００）
・表示基準位置（−１０，０）
・表示角度  ０°
・表示フラグ（−１）
・移動関数ｙ＝−１０
ｘ＝０
・開始からの時間（ｔ＝１０）
・表示関数Ｐ＝−１
となる。
【００５１】
以上説明した表示データにより、第２のキャラクタ画像レイヤ６２は、時刻ｔ＝１０において、６２ｄ（図１１参照）となる。
【００５２】
以上説明した表示形態に沿って各画像レイヤ６０，６１，６２の表示制御を行いつつ、これら画像レイヤ６０，６１，６２を重ね合わせて表示することで、各つけ爪装置２０を、つけ爪装置システム（単一のつけ爪装着者に装着される複数のつけ爪装置２０）全体として互いに関連付けて表示させる。画像レイヤ６０，６１，６２合成表示スケジュールの一例を図１３に示す。ここでツメナンバーとは、各ツメ（つけ爪装置２０）固有に付された番号であって、１は親指のつけ爪装置２０を示し、２は人差し指のつけ爪装置２０を示し、３は中指のつけ爪装置２０を示し、４は薬指のつけ爪装置２０を示し、５は小指のつけ爪装置２０を示す。
【００５３】
次に、つけ爪装置２０におけるアニメーション画像の表示形態の変形例を説明する。なお、以下に説明するアニメーション画像のデータは、上述した方法と同様の方法により予め作成されたうえで、データ格納部２８に格納されている。
【００５４】
（キャラクタの回転表示）
つけ爪装置２０におけるキャラクタの回転表示は、音センサ４０からの音検知に基づいて実施される。以下、図１４のフローチャートと図１５の表示例を参照して説明する。この例では、描写の回転処理前の状態では、図１５（ａ）に示すように、各つけ爪装置２０では、分割背景画像レイヤ６０1〜5や第１,第２のキャラクタ画像レイヤ６１,６２の左右方向が、各指Ａの左右方向（幅方向）に一致している。
【００５５】
この状態で、つけ爪装置２０を装着した使用者が、左右の手の指（最適は親指どうし）を付き合わせることで、”カチン・カチン”という音を発生させる。この音を検知した各つけ爪装置２０の音センサ４０は、表示制御回路２９に音検知信号を送信する。表示制御回路２９では、音センサ４０から音検知信号を受信するか否かを監視する（Ｓ１０１）。Ｓ１０１で音検知信号の受信を検知した各つけ爪装置２０の表示制御回路２９は、当該つけ爪装置２０が右手に装着されたものか左手に装着されたものかを判断する（Ｓ１０２）。装着手情報は表示制御回路２９に予め記憶されており、その記憶を読み出すことで装着手は判断される。
【００５６】
右手装着を判断したつけ爪装置２０の表示制御回路２９は、次のように画像を回転処理する。親指に装着されたつけ爪装置２０の表示制御回路２９は、画像を時計周りに９０°回転処理したうえで表示層２３に表示する。一方、親指以外の指に装着されたつけ爪装置２０の表示制御回路２９は、画像を反時計周りに９０°回転処理したうえで表示層２３に表示する（Ｓ１０３）。
【００５７】
左手装着を判断したつけ爪装置２０の表示制御回路２９は、次のように画像を回転処理する。親指に装着されたつけ爪装置２０の表示制御回路２９は、画像を反時計周りに９０°回転処理したうえで表示層２３に表示する。一方、親指以外の指に装着されたつけ爪装置２０の表示制御回路２９は、画像を時計周りに９０°回転処理したうえで表示層２３に表示する（Ｓ１０４）。
【００５８】
回転処理は、各レイヤ６０,６１,６２の表示データにおける回転角度を９０°もしくは２７０°に設定することで実施される。これにより、図１５（ｃ）に示すように、当初、各つけ爪装置２０の表示が並列配置された状態であったものから、親指側を上にした状態で、各つけ爪装置２０の表示が縦列配置された状態に移行する。なお、図１５（ａ）〜（ｃ）の例では、表示例として左手の表示形態を示している。
【００５９】
（キャラクタの落下表示）
つけ爪装置２０におけるキャラクタの落下表示は、ジャイロセンサ４２からの加速度検知に基づいて実施される。以下、図１６、図１８のフローチャートと図１７、図１９の表示例を参照して説明する。この例では、落下表示前の状態では、いずれかのつけ爪装置２０において、キャラクタが存在していることを前提としている。
【００６０】
この状態で、つけ爪装置２０を装着した使用者が、左右の手のいずれかにおいて、各指の爪先を並列させる。指の並列状態は、図１５（ｃ）の指の状態と同様になる。このとき、並列させる指の本数を２本から５本まで任意に選定する。
【００６１】
次に、並列させた指群を、親指から小指に向かう方向に沿って降り抜いて最も小指側の指を任意の面に軽く衝突させる動作を行う。この動作は、指の並列方向に沿った加速度を発生させる。この加速度を検知した各つけ爪装置２０のジャイロセンサ４２は、表示制御回路２９に指並列方向加速度検知信号を送信する。各指のつけ爪装置２０では、表示制御回路２９において、ジャイロセンサ４２から指並列方向加速度検知信号を受信するか否かを監視する（Ｓ２０１）。Ｓ２０１で指並列方向加速度検知信号の受信を検知したつけ爪装置２０の表示制御回路２９は、周囲のつけ爪装置２０に対して衝撃告知信号を送信する（Ｓ２０２）。送信はデータ送受信回路３１によって通信素子２５を介して実施される。
【００６２】
衝撃告知信号を送信したのち、表示制御回路２９は、現時点において表示層２３でキャラクタ表示を実施しているか否かを判断する（Ｓ２０３）。
【００６３】
Ｓ２０３で、キャラクタ表示を実施していると判断する場合、表示制御回路２９は、小指側に隣接する指のつけ爪装置２０から衝撃告知信号を受信したか否かを判断する（Ｓ２０４）。この判断は、衝撃を受けた指群において、自身が現在表示しているキャラクタを落下させる表示を連携して行う指が存在するか否かを判断する処理である。ここで、キャラクタを落下させる表示を連携して行う指とは、具体的には自身の指より小指側に隣接する指を示す。
【００６４】
Ｓ２０４で小指側に隣接する指のつけ爪装置２０から衝撃告知信号を受信していないと判断する場合、表示制御回路２９は、処理を終了してＳ２０１の判断に戻る。
【００６５】
一方、Ｓ２０４で、小指側に隣接する指のつけ爪装置２０から衝撃告知信号を受信したと判断する場合、表示制御回路２９は、表示層２３において表示中のキャラクタの表示（図１７（ａ）参照）を小指側に落下する画像（図１７（ｂ）参照）に切り換える（Ｓ２０５）。さらに、表示制御回路２９は、落下画像を任意の時間（例えば、数秒）表示した後にキャラクタ非表示（図１７（ｃ）参照）にさらに切り換える（Ｓ２０６）。
【００６６】
Ｓ２０６の処理で表示層２３における表示をキャラクタ非表示に切り換えたまち、表示制御回路２９は、キャラクタ落下告知信号を送信する（Ｓ２０７）。送信はデータ送受信回路３１によって通信素子２５を介して実施される。
【００６７】
一方、Ｓ２０３で、キャラクタ表示を実施していないと判断する場合、表示制御回路２９は、親指側に隣接する指のつけ爪装置２０から、衝撃告知信号とキャラクタ落下告知信号の両信号を受信するか否かを判断する（Ｓ２０８）。この判断は、衝撃を受けた指群において、キャラクタを落下させる表示を連携して行う指が存在するか否かを判断する処理である。ここで、キャラクタを落下させる表示を連携して行う指とは、具体的には自身の指より親指側に隣接する指を示す。
【００６８】
Ｓ２０８で親指側に隣接する指のつけ爪装置２０から両信号（衝撃告知信号とキャラクタ落下告知信号）を受信していないと判断する場合、表示制御回路２９は、処理を終了してＳ２０１の判断に戻る。Ｓ２０８で、小指側に隣接する指のつけ爪装置２０から両信号を受信したと判断する場合、表示制御回路２９は、表示層２３の表示形態を、キャラクタ非表示の状態（図１８（ａ）参照）から、キャラクタが親指側から落下してくる画像（図１８（ｂ）参照）に切り換えたのち（Ｓ２０９）、任意の時間（例えば、数秒）経過後にキャラクタ表示（図１８（ｃ）参照）にさらに切り換える（Ｓ２１０）。
【００６９】
以上の表示切り換えを、ジャイロセンサ４２による衝撃検知に基づいて実施することでキャラクタの落下表示を行う。
【００７０】
（キャラクタの第１の眩暈描写）
つけ爪装置２０におけるキャラクタの第１の眩暈描写は、加速度センサ４３からの加速度検知に基づいて実施される。以下、図１９のフローチャートと図２０の表示例を参照して説明する。
【００７１】
つけ爪装置２０を装着した使用者が、両手をたたく動作を行う。この動作は、指の表裏方向（指の腹と爪とを結ぶ方向）に沿った加速度を発生させる。この加速度を検知した各つけ爪装置２０の加速度センサ４３は、表示制御回路２９に指表裏方向加速度検知信号を送信する。各指のつけ爪装置２０では、表示制御回路２９において、加速度センサ４３から指表裏方向加速度検知信号を受信するか否かが監視する（Ｓ３０１）。Ｓ３０１で加速度検知信号の受信を検知したつけ爪装置２０の表示制御回路２９は、現時点において表示層２３でキャラクタ表示を実施しているか否かを判断する（Ｓ３０２）。
【００７２】
Ｓ３０２で、キャラクタ表示を実施していると判断する場合、表示制御回路２９は、表示層２３において表示中のキャラクタの表示を第１の眩暈状態の画像（図２０参照）に切り換えて（Ｓ３０３）、処理を終了する。一方、Ｓ３０２で、キャラクタ表示を実施していないと判断する場合、表示制御回路２９は、以降何も処理することなく終了する。
【００７３】
（キャラクタの第２の眩暈描写）
つけ爪装置２０におけるキャラクタの第１の眩暈描写は、ジャイロセンサ４２からの角速度検知に基づいて実施される。以下、図２１のフローチャートと図２２の表示例を参照して説明する。
【００７４】
つけ爪装置２０を装着した使用者が、第２の眩暈表示を所望する手の指を軽く握り締めた状態でその拳を回す動作を行う。この動作は各指に角速度を発生させる。この角速度を検知した各つけ爪装置２０のジャイロセンサ４２は、表示制御回路２９に角速度検知信号を送信する。各指のつけ爪装置２０では、表示制御回路２９において、ジャイロセンサ４２から角速度検知信号を受信するか否かを監視する（Ｓ４０１）。Ｓ４０１で加速度検知信号の受信を検知したつけ爪装置２０の表示制御回路２９は、現時点において表示層２３でキャラクタ表示を実施しているか否かを判断する（Ｓ４０２）。
【００７５】
Ｓ４０２で、キャラクタ表示を実施していると判断する場合、表示制御回路２９は、ジャイロセンサ４２が測定した角速度をジャイロセンサ４２から取得し（Ｓ４０３）、取得した角速度の大きさに比例した時間長さの間、キャラクタ表示を、第２の眩暈状態の画像（図２２参照）に切り換える（Ｓ４０４）。
【００７６】
一方、Ｓ４０２で、キャラクタ表示を実施していないと判断する場合、表示制御回路２９は、以降何も処理することなく終了する。
【００７７】
（キャラクタの表示交換／表示移動）
つけ爪装置２０におけるキャラクタの表示交換は、接触センサ４１からの爪接触検知に基づいて実施される。ただし、キャラクタの表示交換は、キャラクタ交換を行う全てのつけ爪装置２０のデータ格納部２８に、キャラクタ交換や移動を行う複数のキャラクタの表示データやその識別データ（ＩＤデータ）を格納していることが前提となる。
【００７８】
以下、図２３のフローチャートと図２４の表示例を参照してキャラクタの表示交換／表示移動を説明する。この場合、表示しているキャラクタの交換操作／移動操作は、自身の両手の間で実施する場合（移動）と、異なる人の間で実施する場合（交換）があるが、これらの表示交換／表示移動は以下の操作で同様に制御できる。
【００７９】
まず、つけ爪装置２０を装着した使用者が、
・現在キャラクタが表示されている自身の指のつけ爪装置２０から自身の他の指のつけ爪装置２０にキャラクタを移動させたい、
・つけ爪装置２０でネイルアートを実施している者どうしで互いのネイルアートを見せ合っているときに、現在自身の指のつけ爪装置２０で表示しているキャラクタと、相手の指のつけ爪装置２０で表示されているキャラクタとを交換したい、
と考える場合、
・キャラクタ移動を行う自身における指のつけ爪装置２０同士、
もしくは、
・キャラクタ交換を所望する者同士でキャラクタ交換を行う指のつけ爪装置２０同士を、
互いに接触させる。
【００８０】
各つけ爪装置２０の接触センサ４１は、上記接触を監視しており、接触を検知すると表示制御回路２９に接触検知信号を送信する。表示制御回路２９では、接触検知信号を受信するか否かを常時監視しており（Ｓ５０１）、Ｓ５０１で接触検知信号の受信を確認したつけ爪装置２０の表示制御回路２９は、データ格納部２８から現在表示しているキャラクタ表示データの識別データを読み出す。さらに、表示制御回路２９は、読み出したキャラクタの識別データに、現時点でのキャラクタレイヤの表示フラグと自身（つけ爪装置２０）の識別情報を付加したうえで、そのデータ（以下、単に識別データという）をデータ送受信回路３１を駆動させて通信素子２５から周囲のつけ爪装置２０に送信する（Ｓ５０２）。
【００８１】
Ｓ５０２でデータ送信を行ったのち表示制御回路２９は、通信素子２５を介してデータ送受信回路３１が周囲のつけ爪装置２０から識別データを受信するか否かを監視する（Ｓ５０３）。Ｓ５０３で識別データを受信したことを確認すると、表示制御回路２９は、そのデータおよび送信したデータに付加されている両表示フラグを判読することで、自身のつけ爪装置２０と通信相手のつけ爪装置２０とで現在キャラクタを表示しているか否かを判断する（Ｓ５０４）。
【００８２】
Ｓ５０４で通信相手双方の両つけ爪装置２０で現在キャラクタを表示していると判断する場合、表示制御回路２９は、通信相手との間でキャラクタ交換の条件が整ったと判断して表示キャラクタの交換を実施する（Ｓ５０５）。具体的には、受信した識別データから、通信相手のつけ爪装置２０で現在表示しているキャラクタを特定したうえで、特定したキャラクタの表示データをデータ格納部２８から読み出す。そして、現在表示層２３で表示しているキャラクタ表示データ（第１，第２のキャラクタ画像レイヤ６１，６２）の表示を停止して、新たにデータ格納部２８から読み出したキャラクタ表示データ（第１，第２のキャラクタ画像レイヤ６１，６２）に基づいて表示層２３で表示動作を行う。このような表示切り換え操作を、通信相手双方のつけ爪装置２０で実施することで、図２４（ａ）に示す表示キャラクタの交換が実施される。図２４（ａ）では、つけ爪装置２０Ａで表示されているキャラクタＣ１と、つけ爪装置２０Ｂで表示されているキャラクタＣ２とが交換されている。このキャラクタ交換は同一人の指の間でも実施される。さらには、異なる人同士の指の間においても実施される。
【００８３】
一方、Ｓ５０４で通信相手双方のうちのいずれか一方のつけ爪装置２０で現在キャラクタを表示していないと判断する場合、表示制御回路２９は、通信相手との間でキャラクタ交換は不可能と判断する。このように判断した表示制御回路２９は、通信相手のつけ爪装置２０が同一人の指に装着されている他のつけ爪装置２０であるか否かを判断する（Ｓ５０６）。Ｓ５０６の判断は、識別データに付加されている通信相手のつけ爪装置２０の識別データを認識することで行う。
【００８４】
Ｓ５０６で通信相手のつけ爪装置２０が同一人の指に装着されている他のつけ爪装置２０でないと判断する場合、表示制御回路２９は、表示キャラクタの移動条件が整わないと判断して、一連のキャラクタの移動／交換処理（この場合は移動処理）を終了する。
【００８５】
一方、Ｓ５０６で通信相手のつけ爪装置２０が同一人の指に装着されている他のつけ爪装置２０であると判断する場合、表示制御回路２９は、自身は現在キャラクタの表示状態であるか否かを判断する（Ｓ５０７）。Ｓ５０７の判断は、現在表示中の表示データにおける第１，第２のキャラクタ画像レイヤ６１，６２の表示フラグを判読することで行える。
【００８６】
Ｓ５０７で自身は現在キャラクタの表示状態であると判断する場合、表示制御回路２９は、キャラクタの表示を停止したうえで（Ｓ５０８）、一連のキャラクタ交換／移動（この場合は移動）操作を終了する。Ｓ５０８の処理により、自身のつけ爪装置２０で表示しているキャラクタは移動により消滅することになる。
【００８７】
一方、Ｓ５０７で自身は現在キャラクタの非表示状態であると判断する場合、表示制御回路２９は、通信相手のつけ爪装置２０（同一人に装着されている他のつけ爪装置２０）は現在キャラクタの表示状態であるか否かを判断する（Ｓ５０９）。Ｓ５０９の判断は、受信した通信相手のつけ爪装置２０の識別データに付加されている表示フラグを判読することで行う。
【００８８】
Ｓ５０９で通信相手のつけ爪装置２０が現在キャラクタの非表示状態であると判断する場合、表示制御回路２９は、通信相手双方でキャラクタ非表示状態であって、キャラクタの移動の条件が整わないと判断して、一連のキャラクタの移動／交換処理（この場合は移動処理）を終了する。
【００８９】
一方、Ｓ５０９で通信相手のつけ爪装置２０が現在キャラクタの表示状態であると判断する場合、表示制御回路２９は、キャラクタの移動の条件が整ったと判断して、次の表示変更処理を行う。すなわち、表示制御回路２９は、通信相手のつけ爪装置２０から受信した識別データの表示データの識別データを判読することで、通信相手で表示されている表示キャラクタを特定したうえで、特定した表示キャラクタの表示データ（第１，第２のキャラクタ画像レイヤ６１，６２）をデータ格納部２８から読み出してその表示データの表示を表示層２３で開始したうえで（Ｓ５１０）、一連のキャラクタ交換／移動（この場合は移動）操作を終了する。Ｓ５１０の処理により、自身のつけ爪装置２０でのキャラクタの表示が開始される。このとき、キャラクタ表示中である通信相手のつけ爪装置２０では、同時に、Ｓ５０７，Ｓ５０８の処理により、キャラクタの表示が停止される。これにより、通信相手のつけ爪装置２０から自身のつけ爪装置２０に移動したかごとく表示されることになる。すなわち、図２４（ｂ）に示す表示キャラクタの移動が実施される。図２４（ｂ）では、つけ爪装置２０Ｃで表示されているキャラクタＣ３がつけ爪装置２０Ｄに移動している。
【図面の簡単な説明】
【００９０】
【図１】本発明の一実施形態のネイルアートシステムの全体構成図である。
【図２】本実施形態のネイルアートシステムを構成するネイルアート作成装置の概略構成図である。
【図３】実施の形態のネイルアート作成装置の機能ブロック図である。
【図４】実施の形態のネイルアートシステムを構成するつけ爪装置２０の図であって、（ａ）は一部切欠き平面図、（ｂ）は、断面図である。
【図５】実施の形態のつけ爪装置２０の機能ブロック図である。
【図６】ネイルアート作成装置１を構成する画像表示器１１の第１の表示例である。
【図７】つけ爪装置２０における表示例である。
【図８】ネイルアート作成装置１を構成する画像表示器１１の第２の表示例である。
【図９】つけ爪装置２０における表示形態の説明図である。
【図１０】つけ爪装置２０に表示する背景画像レイヤの構成例である。
【図１１】つけ爪装置２０に表示する第１のキャラクタ画像レイヤの構成例である。
【図１２】つけ爪装置２０に表示する第２のキャラクタ画像レイヤの構成例である。
【図１３】つけ爪装置２０の表示スケジュール例である。
【図１４】キャラクタの回転表示操作のフローチャートである。
【図１５】キャラクタの回転表示の表示例である。
【図１６】キャラクタの落下表示操作のフローチャートである。
【図１７】キャラクタの落下表示の第１の表示例である。
【図１８】キャラクタの落下表示の第２の表示例である。
【図１９】キャラクタの第１の眩暈表示操作のフローチャートである。
【図２０】キャラクタの第１の眩暈表示の表示例である。
【図２１】キャラクタの第２の眩暈表示操作のフローチャートである。
【図２２】キャラクタの第２の眩暈表示の表示例である。
【図２３】キャラクタの表示交換／表示移動操作のフローチャートである。
【図２４】キャラクタの表示交換／表示移動の表示例である。
【符号の説明】
【００９１】
１  ネイルアート作成装置
２  ネイルアートデータ管理サーバ
３  インターネット回線
４  データベース
５  通信装置
６  ネイルアート作成装置本体
７  つけ爪通信装置
１０  画像作成器
１１  画像表示器
１２  入力器
１３  記憶器
１４  送受信器
１５  制御器
１６  つけ爪通信端子
１７  つけ爪通信素子
２０  つけ爪装置
２１  ベース基板
２２  太陽電池層
２３  表示層
２４  蓄電池
２５  通信素子
２６  液晶ドライバ回路
２７  太陽電池制御回路
２８  データ格納部
２９  表示制御回路
３０  タイマ回路
３１  データ送受信回路
４０  音センサ
４１  接触センサ
４２  ジャイロセンサ
４３  加速度センサ
４４  ネイルアートリスト
４５  画像サンプル
５０  購入ボタン
５１  購入ボタン
６０  背景画像レイヤ
６１  第１のキャラクタ画像レイヤ
６２  第２のキャラクタ画像レイヤ
６３  分割ボタン
７０  画像レイヤの作成画面
７１  動画パターン設定枠
７２  動画速度設定枠
【図１】
2006262982.tif 000003
【図２】
2006262982.tif 000004
【図３】
2006262982.tif 000005
【図４】
2006262982.tif 000006
【図５】
2006262982.tif 000007
【図６】
2006262982.tif 000008
【図７】
2006262982.tif 000009
【図８】
2006262982.tif 000010
【図９】
2006262982.tif 000011
【図１０】
2006262982.tif 000012
【図１１】
2006262982.tif 000013
【図１２】
2006262982.tif 000014
【図１３】
2006262982.tif 000015
【図１４】
2006262982.tif 000016
【図１５】
2006262982.tif 000017
【図１６】
2006262982.tif 000018
【図１７】
2006262982.tif 000019
【図１８】
2006262982.tif 000020
【図１９】
2006262982.tif 000021
【図２０】
2006262982.tif 000022
【図２１】
2006262982.tif 000023
【図２２】
2006262982.tif 000024
【図２３】
2006262982.tif 000025
【図２４】
2006262982.tif 000026